(57)【要約】      （修正有）【課題】ハリスに複数の枝スが取り付けられた釣り仕掛けを、簡単な構造でしかもハリスや枝スに巻癖やヨレを生じさせることなく、収納することができる仕掛け収納具を提供する。【解決手段】表面１３ａ及び裏面を有する台板１３の第１の領域Ｆ１の表面に先針及び複数の枝針を係止する針係止部１５を設け、該台板１３の第１の領域Ｆ１に隣接する第２の領域Ｆ２にハリス及び枝スを係止する糸係止部１７を設ける。糸係止部１７は、台板１３の第２の領域Ｆ２に所定の間隔を開けて環状に並ぶように形成された複数の切り起こし部１９から構成されている。【選択図】図２
0003178576.tif 000002
【実用新案登録請求の範囲】
【請求項１】
一方の端部に先針が取り付けられたハリスと、一方の端部に枝針が取り付けられた複数の枝スとを備え、前記複数の枝スの他方の端部が所定の間隔をあけて前記ハリスに結び付けられて構成された釣り仕掛けを収納する仕掛け収納具であって、
表面及び裏面を有し且つ前記表面側及び前記裏面側に折り起こし可能な台板と、
前記台板の第１の領域の前記表面に設けられて、前記先針及び前記複数の枝針を係止する針係止部と、
前記台板の第１の領域に隣接する第２の領域に設けられて前記ハリス及び前記枝スを係止する糸係止部とを備え、
前記糸係止部は、前記台板の前記第２の領域に所定の間隔を開けて環状に並ぶように形成され、前記表面側及び前記裏面側に切り起こし可能に設けられた複数の切り起こし部からなることを特徴とする仕掛け収納具。
【考案の詳細な説明】
【技術分野】
【０００１】
本考案は、ハリスに複数の枝スが結びつけられた釣り仕掛けを収納するための仕掛け収納具に関するものである。
【背景技術】
【０００２】
特開２００５−１８５１３６号公報（特許文献１）には、先端部に枝針が取り付けられた複数本の枝ス（枝糸）が所定の間隔をあけてハリス（幹糸）に結びつけられた釣り仕掛けを収納する仕掛け収納具が開示されている。この仕掛け収納具では、長方形の台紙に枝針を係止する係止部が設けられており、枝針を係止部に係止した状態で台紙の長手方向に枝スとハリスを巻回することにより仕掛けが収納される。しかし、このような構造では、台紙に巻回されたハリスが台紙の長手方向の端部近傍で折り曲げられるため、ハリスの一部に巻癖や糸よれが生じる問題がある。また、ハリス（幹糸）と枝ス（枝糸）とでは太さや質感が異なるため、特許文献１のような従来の仕掛け収納具では、ハリス及び枝スを台紙に巻き付けたときに、枝スまたはハリスの一部に巻き取り難い部分が発生する。この巻き取り難い部分は、釣り仕掛けを仕掛け収納具に収納したときの外観が損なわれるという問題も生じさせる。このような問題を解消するため、特開２０１０−２５２５７１７号公報（特許文献２）では、台紙の表面に２つの巻回部を設けて、ハリスと枝スを別々に巻回する構造が採用されている。
【先行技術文献】
【特許文献】
【０００３】
【特許文献１】特開２００５−１８５１３６号公報
【特許文献２】特開２０１０−２５２７１７号公報
【考案の概要】
【考案が解決しようとする課題】
【０００４】
しかしながら、特許文献２に示すような従来の仕掛け収納具では、ハリスと枝スを別々に巻回するため、仕掛け収納具の構造が複雑にならざるを得ない。また、特許文献２の構造では、２つの巻回部が台紙の一方の面に設けられているため、仕掛け収納具を構成する台紙の面積を大きくしなければならない。さらに、仕掛け収納具の構造が複雑になると、釣り仕掛けの収納作業も複雑になるため、釣り仕掛けを収納する際にハリスと枝スが絡まったり、ハリスと枝スの一部に収納しきれない部分が生じ易くなる。このような問題は、結果として釣り仕掛けを仕掛け収納具に収納した後の外観を損ねるという問題を引き起こすこととなる。
【０００５】
本考案の目的は、ハリスに複数の枝スが結びつけられた釣り仕掛けを、簡単な構造で、しかもハリスや枝スに巻癖やヨレを生じさせることなく、収納することができる仕掛け収納具を提供することにある。
【０００６】
本考案の目的は、さらに、台紙の寸法を大きくすることなく、枝スを備える釣り仕掛けを収納することができる仕掛け収納具を提供することにある。
【０００７】
本考案の目的は、さらに、外観を損ねることなく、枝スを備える釣り仕掛けを収納することができる仕掛け収納具を提供することにある。
【課題を解決するための手段】
【０００８】
本考案が改良の対象とする仕掛け収納具は、一方の端部に先針が取り付けられたハリスと、一方の端部に枝針が取り付けられた複数の枝スとを備え、複数の枝スの他方の端部が所定の間隔をあけてハリスに結び付けられて構成された釣り仕掛けを収納するものである。本考案において、先針は釣り仕掛けの先端部に取り付けられた釣り針であり、ハリスは釣り仕掛けの幹糸を構成する釣り糸であり、枝針は幹糸を構成するハリスの途中に取り付けられた釣り針であり、枝スは幹糸を構成するハリスの途中に結びつけられて枝糸を構成する釣り糸である。
【０００９】
本考案の仕掛け収納具は、台板、針係止部および糸係止部を備えている。台板は、表面及び裏面を有し、且つ表面側及び裏面側に折り起こし可能に構成されている。なお、台板の材質、形状、寸法は、それぞれ任意である。
【００１０】
針係止部は、台板の第１の領域の表面に設けられて、先針及び複数の枝針を係止する。第１の領域は、後述の第２の領域を除く台板の領域である。第１の領域の位置は特に限定されるものではないが、後述の第２の領域との位置関係を考慮して、台板の端部に位置するのが好ましい。針係止部は、台板の一部として台板と一体に構成して良いし、また台板と別部材で構成しても良い。
【００１１】
糸係止部は、台板の第２の領域に設けられて、ハリス及び枝スを係止する。第２の領域は、第１の領域に隣接する台板の領域である。第２の領域の位置も特に限定されるものではないが、釣り仕掛けの大部分を構成するハリス及び枝スを収納することを考慮して、台板の中央部に位置するのが好ましい。
【００１２】
糸係止部は、複数の切り起こし部で構成されている。複数の切り起こし部は、台板の第２の領域に所定の間隔を開けて環状に並ぶように形成され、表面側及び裏面側に切り起こし可能に設けられている。切り起こし部は、台板に切り込みを入れることによって、台板と一体に構成する。切り起こし部の形状は、任意であるが、糸係止部にハリスおよび枝スを係止し易くするため、環状に並ぶ複数の切り起こし部を結んだ仮想円を想定したときに該仮想円の径方向外側に向かって凸となる半楕円形状にするのが好ましい。糸係止部には、切り起こし部が表面側及び裏面側に切り起こされた状態で、各切り起こし部に対応して台板を厚み方向に貫通する複数の貫通孔が構成される。これらの貫通孔の形状は、各切り起こし部の形状に対応する半楕円形状を有する。これらの貫通孔は、後述する枝スの残部（糸係止部に係止しにくい枝スの一部）が、台板の表面側から裏面側に向かって通過することを許容する構造になっている。
【００１３】
このような構成を備える仕掛け収納具では、台板の第１の領域（針係止部）で先針及び枝針が係止された状態から、台板の第２の領域（糸係止部）でハリス及び枝スが係止されるため、仕掛け収納具の構造を複雑にすることなく、ハリスや枝スに巻癖やヨレが付くのを防ぐことができる。
【００１４】
なお、糸係止部にハリスと枝スを一緒に係止しようとすると、ハリスと枝スとの結び目付近で、枝スの一部に係止し難い部分が生じる。そこで、糸係止部を構成する複数の切り起こし部のうち１つおきに配置された切り起こし部を台板の表面側に切り起こし、残りの切り起こし部を台板の裏面側に切り起こす。そして、表面側に切り起こした切り起こし部（以下、表面側切り起こし部という。）にハリス及び枝スの一部（先針側の部分）を係止した後に、枝スの残部（ハリス側の部分）をその直近に位置する貫通孔に表面側から裏面側に向かって通過させて、裏面側に切り起こした切り起こし部（以下、裏面側切り起こし部という。）に係止する。このようにすれば、係止し難い枝スの残部を、ハリス及び枝スの一部と分離して係止することができるため、枝スの残部にも巻癖やヨレが付くのを防ぐことができる。また、台板の表面側から見た場合に枝スの残部が台板の裏面側に隠れるため、仕掛け収納具に収納された状態で釣り仕掛けの外観が損なわれるのを防ぐことができる。
【００１５】
また、本考案のように台板を切り起こして複数の切り起こし部を形成することにより、ハリス及び枝スの一部を台板の表面側で係止する機構と、枝スの残部を表面側から裏面側に延ばす機構と、枝スの残部を台板の裏面側で係止する機構とを、同時に構成することができる。そのため、本考案によれば、枝スを備える釣り仕掛けを収納するための仕掛け収納具を、簡単な構造で構成することができる。
【００１６】
また、本考案によれば、ハリス及び枝スの一部を表面側切り起こし部に係止し、枝スの残部を裏面側切り起こし部に係止する構成を採用するため、ハリスと枝スを表面側または裏面側のいずれか一方にまとめて収納する従来の構成に比べて、台板の面積を小さくすることができる。
【００１７】
さらに、複数の切り起こし部が所定の間隔を開けて環状に並ぶように形成されているため、ハリスや枝スの位置や長さに関係なく、または釣り仕掛けを収納する際のハリスや枝スが台板の表面側及び裏面側のいずれに位置するかに関係なく、複数の切り起こし部のうち係止し易い切り起こし部にハリス及び枝スを係止することができる。そのため、本考案の仕掛け収納具を用いると、釣り仕掛けの収納が容易になる。
【００１８】
また、本考案では、釣り仕掛けの各部が整理された状態で収納されるため（例えば、ハリスおよび枝スの一部が台板の表面側に収納され、枝スの残部が台板の裏面側に収納されるため）、釣り仕掛けを仕掛け収納部から外すときも容易に外すことができる。
【００１９】
さらに、このような環状に並ぶ複数の切り起こし部を設けることによって、糸係止部の時計周りの方向および／または反時計回りの方向にハリス及び枝スを巻回することができる。そのため、ユーザがハリス及び枝スを巻回し易い方向を任意に選択して、釣り仕掛けを収納することができる。また、異なる方向にそれぞれハリス等を巻回することができるので、２つの釣り仕掛けを整理した状態でまとめて収納することができる。また、２つの釣り仕掛けを収納した後、２つの釣り仕掛けを収納したときと同じ要領で、さらに釣り仕掛けを収納すれば、２以上の釣り仕掛けを収納することができる。
【００２０】
なお、環状に配置された複数の表面側切り起こし部を環状に結ぶ第１の仮想円と、環状に配置された複数の裏面側切り起こし部を環状に結ぶ第２の仮想円とを想定したときに、第２の仮想円が第１の仮想円の径方向内側に位置するように、表面側切り起こし部と裏面側切り起こし部とを形成するのが好ましい。表面側切り起こし部と裏面側切り起こし部とがこのような位置関係になるように複数の切り起こし部を形成すると、表面側切り起こし部に係止されて台板の表面側に露出するハリス及び枝スの一部と、裏面側切り起こし部に係止されて表面側に露出する枝スの残部とが、台板の表面側から見たときにちょうど重なるように見える。そのため、本考案の仕掛け収納具に釣り仕掛けを収納すると、収納された釣り仕掛けの外観が良好になる。
【図面の簡単な説明】
【００２１】
【図１】本考案の仕掛け収納具に収納する釣り仕掛けの構造を示す図である。
【図２】本考案の仕掛け収納具の一例を台板の表面側から見た図である。
【図３】本考案の仕掛け収納具の一例を台板の裏面側から見た図である。
【図４Ａ】本考案の仕掛け収納具の一例に対して釣り仕掛けを収納する工程を示す図である。
【図４Ｂ】本考案の仕掛け収納具の一例に対して釣り仕掛けを収納する工程を示す図である。
【図４Ｃ】本考案の仕掛け収納具の一例に対して釣り仕掛けを収納する工程を示す図である。
【図４Ｄ】本考案の仕掛け収納具の一例に対して釣り仕掛けを収納する工程を示す図である。
【図４Ｅ】本考案の仕掛け収納具の一例に対して釣り仕掛けを収納する工程を示す図である。
【図４Ｆ】本考案の仕掛け収納具の一例に対して釣り仕掛けを収納する工程を示す図である。
【図４Ｇ】本考案の仕掛け収納具の一例に対して釣り仕掛けを収納する工程を示す図である。
【図４Ｈ】本考案の仕掛け収納具の一例に対して釣り仕掛けを収納する工程を示す図である。
【図４Ｉ】本考案の仕掛け収納具の一例に対して釣り仕掛けを収納する工程を示す図である。
【図４Ｊ】本考案の仕掛け収納具の一例に対して釣り仕掛けを収納する工程を示す図である。
【図４Ｋ】本考案の仕掛け収納具の一例に対して釣り仕掛けを収納する工程を示す図である。
【図４Ｌ】本考案の仕掛け収納具の一例に対して釣り仕掛けを収納する工程を示す図である。
【図４Ｍ】本考案の仕掛け収納具の一例に対して釣り仕掛けを収納する工程を示す図である。
【図４Ｎ】本考案の仕掛け収納具の一例に対して釣り仕掛けを収納する工程を示す図である。
【図４Ｏ】本考案の仕掛け収納具の一例に対して釣り仕掛けを収納する工程を示す図である。
【図５Ａ】本考案の仕掛け収納具の一例に対して２つ目の釣り仕掛け収納する工程を示す図である。
【図５Ｂ】本考案の仕掛け収納具の一例に対して２つ目の釣り仕掛け収納する工程を示す図である。
【図５Ｃ】本考案の仕掛け収納具の一例に対して２つ目の釣り仕掛け収納する工程を示す図である。
【図５Ｄ】本考案の仕掛け収納具の一例に対して２つ目の釣り仕掛け収納する工程を示す図である。
【図５Ｅ】本考案の仕掛け収納具の一例に対して２つ目の釣り仕掛け収納する工程を示す図である。
【図５Ｆ】本考案の仕掛け収納具の一例に対して２つ目の釣り仕掛け収納する工程を示す図である。
【図５Ｇ】本考案の仕掛け収納具の一例に対して２つ目の釣り仕掛け収納する工程を示す図である。
【図５Ｈ】本考案の仕掛け収納具の一例に対して２つ目の釣り仕掛け収納する工程を示す図である。
【図５Ｉ】本考案の仕掛け収納具の一例に対して２つ目の釣り仕掛け収納する工程を示す図である。
【図６】本考案の仕掛け収納具の他の一例（釣り仕掛けを収納した状態）を台板の表面側から見た図である。
【考案を実施するための形態】
【００２２】
以下、本考案の実施の形態について詳細に説明する。図１は、本考案の一例である仕掛け収納具に収納する釣り仕掛けの構造を示す図である。図２は本考案の仕掛け収納具の一例を台板の表面側から見た図であり、図３は本考案の仕掛け収納具の一例を台板の裏面側から見た図である。本考案の一例である仕掛け収納具の構造を説明する前に、まず本例の仕掛け収納具に収納する釣り仕掛けの構造について説明する。
【００２３】
図１に示す釣り仕掛け１は、１個の先針３、１本のハリス５、３個の枝針７（第１の枝針７ａ、第２の枝針７ｂ、第３の枝針７ｃ）、３本の枝ス９（第１の枝ス９ａ、第２の枝ス９ｂ、第３の枝ス９ｃ）及びサルカン（ヨリモドシ）Ｓ１から構成されている。ハリス５の一方の端部には先針３が取り付けられており、ハリス５の他方の端部はサルカンＳ１に結び付けられている。また、枝ス９の一方の端部には枝針７が取り付けられており、枝ス９の他方の端部はハリス５に結びつけられている。本例では、３本の枝ス９（第１の枝ス９ａ、第２の枝ス９ｂ、第３の枝ス９ｃ）が所定の間隔をあけてハリス５に結び付けられている。具体的には、３．７５ｍのハリス５を真っ直ぐ延ばした状態で、ハリス５と第１の枝ス９ａとの結び目Ｋ１が先針３から０．９ｍ離れた位置に位置し、ハリス５と第２の枝ス９ｂとの結び目Ｋ２が結び目Ｋ１から０．７５ｍ離れた位置に位置し、ハリス５と第３の枝ス９ｃとの結び目Ｋ３が結び目Ｋ２から０．７５ｍ離れた位置に位置するように、ハリス５に枝ス９が結びつけられている。なお、結び目Ｋ３とサルカンＳ１との距離は、１．３５ｍである。本例では、このような釣り仕掛け１が以下に示す仕掛け収納具１１に収納される。
【００２４】
仕掛け収納具１１は、図２に示すように、台板１３に針係止部１５および糸係止部１７が設けられた構造を有する。台板１３は、表面１３ａ及び裏面１３ｂを有し、表面１３ａ側及び裏面１３ｂ側に折り起こし可能に構成されている。本例では台板１３として紙製の台紙を用いているが、樹脂製の台紙を用いても良い。台板１３の形状は、台板１３の表面１３ａ側または裏面１３ｂ側から見たときの外形が長方形となる形状になっている。台板１３には、台板１３の長手方向の一端に位置して針係止部１５が配置される第１の領域Ｆ１と、台板１３の中央部に位置しかつ糸係止部１７が配置されて第１の領域Ｆ１に隣接する第２の領域Ｆ２とを有する。なお、台板１３の周囲には、複数の切り込みＣ１が設けられているが、このような切れ込みＣ１を設けるのは任意である。本例のように切れ込みＣ１を設けた場合は、釣り仕掛け１を仕掛け収納具１１に収納する際に、釣り仕掛けの各部を切れ込みＣ１に適宜係止することができる。
【００２５】
針係止部１５は、台板１３の端部に位置する第１の領域Ｆ１の表面に設けられて、先針３及び枝針７を係止する。針係止部１５は、透明な樹脂製のシートで形成されており、紙製の台板１３とは異なる部材で構成されている。針係止部１５は、基部１５ａ、凹凸部１５ｂ、複数の切り込み部１５ｃおよび２つの勘合部１５ｄを備えている。これに対して、台板１３の第１の領域Ｆ１には、円弧状の切り込み部１３ｃと２つの被勘合部１３ｄが設けられている。基部１５ａを切り込み部１３ｃに係止し、かつ勘合部１５ｄが被勘合部１３ｄに勘合することにより、針係止部１５が台板１３の第１の領域Ｆ１に取り付けられる。
【００２６】
糸係止部１７は、台板１３の第２の領域Ｆ２に設けられて、ハリス５及び枝ス９を係止する。糸係止部１７は、台板１３に切り込みを入れることによって台板１３と一体に形成された１２個の切り起こし部１９で構成されている。これらの切り起こし部１９は、台板１３の中央部に位置する第２の領域Ｆ２に所定の間隔を開けて環状に並ぶように形成されており、表面１３ａ側及び裏面１３ｂ側に切り起こし可能に設けられている。切り起こし部１９の形状は、環状に並ぶ複数の切り起こし部１９を結んだ図示しない仮想円を仮想したときに、仮想円の径方向外側に向かって凸となる半楕円形状になっている。
【００２７】
糸係止部１７には、切り起こし部１９が台板１３の表面１３ａ側及び裏面１３ｂ側に切り起こされた状態で、各切り起こし部１９に対応して、台板１３を厚み方向に貫通する複数の貫通孔２１が構成される。貫通孔２１の形状は、切り起こし部１９の形状に対応する半楕円形状を有する。これらの貫通孔２１の寸法は、枝ス９の残部Ｒ１、Ｒ２、Ｒ３（糸係止部１７に係止しにくい枝ス９の一部）が、台板１３の表面１３ａ側から裏面１３ｂ側に向かって通過することを許容する寸法になっている。
【００２８】
なお、１２個の切り起こし部１９のうち１つおきに配置された６個の切り起こし部１９ａ、１９ｃ、１９ｅ、１９ｇ、１９ｉ、１９ｋは、台板１３の表面１３ａ側に切り起こされた表面側切り起こし部を構成し、残りの６個の切り起こし部１９ｂ、１９ｄ、１９ｆ、１９ｈ、１９ｊ、１９ｌは、台板１３の裏面１３ｂ側に切り起こされた裏面側切り起こし部として構成される。表面側切り起こし部１９ａ、１９ｃ、１９ｅ、１９ｇ、１９ｉ、１９ｋには、ハリス５及び枝ス９の一部Ｐ１〜Ｐ３（先針３側の部分）が係止される。また、裏面側切り起こし部１９ｂ、１９ｄ、１９ｆ、１９ｈ、１９ｊ、１９ｌには、貫通孔２１を通過して表面１３ａ側から裏面１３ｂ側に向かって延びる枝ス９の残部Ｒ１〜Ｒ３（ハリス５側の部分）が係止される。
【００２９】
本例のように、針係止部１５を台板１３の端部に配置し、糸係止部１７（環状に並ぶ複数の切り起こし部１９）を台板１３の中央部に配置することにより、糸係止部１７に対してハリスや枝スを円形状に係止することができる。そのため、仕掛け収納具を複雑な構造にすることなく、ハリスや枝スに巻癖やヨレが付くのを防ぐことができる。
【００３０】
また、枝ス９の残部Ｒ１〜Ｒ３は、貫通孔２１に規制された状態で台板１３の裏面１３ｂ側の切り起こし部に係止される。そのため、枝スの残部Ｒ１〜Ｒ３を、台板の裏面１３ｂ側で容易に且つしっかりと係止することができる。その上、枝ス９の残部Ｒ１〜Ｒ３は、ハリス５及び枝スの一部Ｐ１〜Ｐ３が巻回される方向と同じ方向に巻回されるため、枝ス９の残部Ｒ１〜Ｒ３に余計な巻癖やヨレが付き難い。
【００３１】
さらに、台板１３の表面１３ａ側から見た場合に枝ス９の残部Ｒ１〜Ｒ３が台板１３の裏面１３ｂ側に隠れるため、釣り仕掛け１の外観が損なわれるのを防ぐことができる。
【００３２】
なお、本例では、切り起こし部１９ａ〜１９ｌが環状に等間隔に並んで配置されている。このような切り起こし部１９ａ〜１９ｌによって構成された糸係止部１７は、台板１３（本例では紙製）の撓み力を最大限利用することができるため、ハリス、枝スの一部および枝スの残部（枝スの余った部分）を容易に且つしっかりと糸係止部１７に対して係止することができる。
【００３３】
また、本例では、表面側切り起こし部１９ａ、１９ｃ、１９ｅ、１９ｇ、１９ｉ、１９ｋも環状に等間隔に並んで配置されているため、ハリス及び枝スの一部が切り起こし部に係止されたときの力を台板１３に対して分散させることができる。そのため、従来のようにハリスを巻回する巻回部が楕円形状の場合に比べて、本例では台板１３に偏った歪みが生じにくい。
【００３４】
また、本例では台板１３を切り起こして複数の切り起こし部１９を形成することにより、ハリス５及び枝ス９の一部Ｐ１〜Ｐ３を台板１３の表面１３ａ側で係止する機構と、枝ス９の残部Ｒ１〜Ｒ３を表面１３ａ側から裏面１３ｂ側に延ばす機構と、枝ス９の残部Ｒ１〜Ｒ３を台板１３の裏面１３ｂ側で係止する機構とを、同時に構成することができる。したがって、釣り仕掛け１のように枝ス９を備える複雑な構造の釣り仕掛けを収納するための仕掛け収納具を、簡単な構造で構成することができる。
【００３５】
また、本例では、ハリス５及び枝ス９の一部Ｐ１〜Ｐ３が表面側切り起こし部１９ａ、１９ｃ、１９ｅ、１９ｇ、１９ｉ、１９ｋに係止され、枝ス９の残部Ｒ１〜Ｒ３が裏面側切り起こし部１９ｂ、１９ｄ、１９ｆ、１９ｈ、１９ｊ、１９ｌに係止されるため、従来の仕掛け収納具（ハリスと枝スを台板の表面側または裏面側のいずれか一方にまとめて収納する構造）に比べて、台板の面積を小さくすることができる。
【００３６】
さらに、本例の仕掛け収納具１１では、１２個の切り起こし部１９が所定の間隔をあけて環状に並んで設けられているため、ハリスや枝スの位置または長さに関係なく、またハリスや枝スが台板の表面側及び裏面側のいずれに位置するかに関係なく、１２個の切り起こし部１９のうち係止しやすい切り起こし部１９にハリス及び枝スを係止することができる。
【００３７】
さらに、本例の仕掛け収納具では、環状に配置された表面側切り起こし部１９ａ、１９ｃ、１９ｅ、１９ｇ、１９ｉ、１９ｋを環状に結ぶ図示しない第１の仮想円と、環状に配置された裏面側切り起こし部１９ｂ、１９ｄ、１９ｆ、１９ｈ、１９ｊ、１９ｌを環状に結ぶ図示しない第２の仮想円とを想定したときに、第２の仮想円が第１の仮想円の径方向内側に位置するように、表面側切り起こし部１９ａ、１９ｃ、１９ｅ、１９ｇ、１９ｉ、１９ｋ及び裏面側切り起こし部１９ｂ、１９ｄ、１９ｆ、１９ｈ、１９ｊ、１９ｌが形成されている。表面側切り起こし部１９ａ、１９ｃ、１９ｅ、１９ｇ、１９ｉ、１９ｋと裏面側切り起こし部１９ｂ、１９ｄ、１９ｆ、１９ｈ、１９ｊ、１９ｌとをこのような位置関係にすることにより、表面側切り起こし部１９ａ、１９ｃ、１９ｅ、１９ｇ、１９ｉ、１９ｋに係止されて台板１３の表面１３ａ側に露出するハリス５及び枝ス９の一部Ｐ１〜Ｐ３と、裏面側切り起こし部１９ｂ、１９ｄ、１９ｆ、１９ｈ、１９ｊ、１９ｌに係止されて表面１３ａ側に露出する枝ス９の残部Ｒ１〜Ｒ３とが、台板１３の表面１３ａ側から見たときにちょうど重なるように見える。そのため、本例の仕掛け収納具を用いると、仕掛け収納具に収納された釣り仕掛け１の外観が良好になる。
【００３８】
本例では、このような釣り仕掛け１を、以下の手順で仕掛け収納具１１に収納する。まず、針係止部１５（凹凸部１５ｂ）に仕掛け１の先針３を係止する。先針３を針係止部１５に係止した状態でハリス５を引っ張りながら、ハリス５に巻癖または糸ヨレが付かないよう係止できる最も近い位置に位置する糸係止部１７の切り起こし部１９ａにハリス５を係止する。そして、ハリス５を切り起こし部１９ａに係止した後に、切り起こし部１９ａから１つおきに位置する切り起こし部１９ｃ、１９ｅ、１９ｇ、１９ｉ、１９ｋの順にハリス５を係止していく［図４（Ａ）］。切り起こし部１９ｋに係止した後は、再度切り起こし部１９ａに係止して同様に切り起こし部１９ｃ、１９ｅ、１９ｇ、１９ｉ、１９ｋの順にハリス５を係止していく。このようにして、ハリス５を糸係止部１７に対して反時計回りに２周巻回する［図４（Ｂ）］。ここまでの工程で、釣り仕掛け１のうち先針３及びハリス５が本例の仕掛け収納具１１に収納される。
【００３９】
次に、針係止部１５（凹凸部１５ｂ）に釣り仕掛け１の第１の枝針７ａを係止する。上述のように先針３を糸係止部１７に係止するのと同じ要領で、第１の枝針７ａを切り起こし部１９ａ、１９ｃに係止する［図４（Ｂ）及び（Ｃ）］。第１の枝ス９ａを切り起こし部１９ｃに係止した後に、第１の枝ス９ａの一部が輪っか状に余った残部Ｒ１として発生する［図４（Ｄ）］。この残部Ｒ１を切り起こし部１９ｅに対応する貫通孔２１（貫通孔２１ｅ）に通して台板１３の表面１３ａ側から裏面１３ｂ側に引っ張る［図４（Ｅ）］。裏面１３ｂ側に延びた残部Ｒ１を糸係止部１７に時計回りに係止しようとしたときに最も近い位置にある切り起こし部１９ｆに残部Ｒ１を係止する［図４（Ｆ）］。ここまでの工程で、さらに第１の枝針７ａ及び第１の枝ス９ａが本例の仕掛け収納具に収納される。
【００４０】
次に、上述の第１の枝針７ａと同じ要領で、第２の枝針７ｂを針係止部１５（凹凸部１５ｂ）に係止し、第２の枝ス９ｂを糸係止部１７（切り起こし部１９ａ、１９ｃ）に係止し、第２の枝ス９ｂの残部Ｒ２を裏面１３ｂ側で切り起こし部１９ｆに係止する［図４（Ｇ）〜（Ｌ）］。ここまでの工程で、さらに第２の枝針７ｂ及び第２の枝ス９ｂが本例の仕掛け収納具に収納される。
【００４１】
さらに、上述の第１の枝針７ａと同じ要領で、第３の枝針７ｃを針係止部１５（凹凸部１５ｂ）に係止し、第３の枝ス９ｃを糸係止部１７（切り起こし部１９ａ、１９ｃ）に係止し、第３の枝ス９ｃの残部Ｒ３を裏面１３ｂ側で切り起こし部１９ｆに係止する［図４（Ｍ）〜（Ｎ）］。ここまでの工程で、先針３、ハリス５、枝針７及び枝ス９までが仕掛け収納具に収納される。
【００４２】
最後に糸係止部１７に未だ係止されていないハリス５の残部を糸係止部１７に（切り起こし部１９ｃ、１９ｅ、１９ｇ、１９ｉ、１９ｋの順に）係止していき、サルカンＳ１を残すようにハリス５の他方の端部が係止可能な位置に位置する切り起こし部（切り起こし部１９ｋ）にハリス５の他方の端部を係止する［図４（Ｏ）］。ここまでの工程で、１つの釣り仕掛け１が本例の仕掛け収納具１１に完全に収納される。
【００４３】
上述のように、本例の仕掛け収納具に収納する釣り仕掛けは１つでも良いが、本例ではさらにもう１つ釣り仕掛け２を収納することができる。２つ目の釣り仕掛け２を収納する場合は、上述のように１つ目の釣り仕掛け１を収納する場合とほぼ同じ要領で、２つ目の釣り仕掛け２を収納することができる。なお、２つ目の釣り仕掛け２は、１つ目の釣り仕掛け１と同じ構造を有するため、２つ目の釣り仕掛け２の各部について、１つ目の仕掛け１に付された符号の数にさらに１の数を加えた数の符号を付して説明を省略する［図５（Ａ）〜（Ｉ）］。１つ目の釣り仕掛け１に対して、２つ目の釣り仕掛け２では、ハリス６を切り起こし部１９ｉ、１９ｇ、１９ｅ、１９ｃ、１９ａの順に係止することにより、糸係止部１７に対してハリス６が時計回りに巻回され［図５（Ａ）］、枝ス９を切り起こし部１９ｉ、１９ｇに係止した後、裏面１３ｂ側に延びた残部Ｒ４、Ｒ５、Ｒ６を糸係止部１７に反時計回りに係止しようとしたときに最も近い位置にある切り起こし部１９ｄに残部Ｒ４〜Ｒ６が係止される［図５（Ｂ）〜（Ｈ）］。
【００４４】
このように、本例の仕掛け収納具１１では、１２個の切り起こし部１９が環状に並んで設けられているため、台板１３の表面１３ａ側から見たときに糸係止部１７の時計周りの方向に釣り仕掛け１のハリス５及び枝ス９を巻回した上に、糸係止部１７の反時計回りの方向に釣り仕掛け２のハリス６及び枝ス１０を巻回することができる。すなわち、本例の仕掛け収納具１１を用いることにより、ユーザは、ハリス及び枝スを巻回し易い方向を任意に選択して、釣り仕掛けを収納することができる。また、異なる方向にそれぞれハリス等を巻回することができるので、２つの釣り仕掛け１、２を整理した状態でまとめて収納することができる。
【００４５】
なお、本例では、２つの釣り仕掛け１、２を収納したが、２つの釣り仕掛け１、２を収納した後、２つの釣り仕掛け１、２を収納したときと同じ要領でさらに釣り仕掛けを収納すれば、２以上の釣り仕掛けを仕掛け収納具に収納することができる。
【００４６】
また、本例では、釣り仕掛けの各部（例えば、釣り仕掛け１ではハリス５および枝ス９の一部に対して枝ス９の残部）が整理された状態で仕掛け収納具１１に収納されるので、釣り仕掛けを仕掛け収納部から外すときも容易に外すことができる。
【００４７】
図６は、本考案の仕掛け収納具の他の一例を、釣り仕掛けを収納した状態で、台板の表面側から見た図である。なお、この他の一例のうち、上述した本考案の一例と共通する部分については、図５（Ｉ）に示す本考案の一例に付された符号の数に１００の数を加えた数の符号を付して説明を省略する。図５（Ｉ）に示す仕掛け収納具１１では、針係止部１５が台板１３とは異なる材料で別部材として構成されているのに対して、図６に示す仕掛け収納具１１１では、針係止部１１５が紙製の台板１１３と一体に構成されている。針係止部１１５には、複数の切り込み１１５ａが設けられている。この他の一例では、先針１０３、１０４及び枝針１０７、１０８が切り込み１１５ａに勘合されることにより、針係止部１１５に係止される。このように図６に示す他の例では、針係止部１１５が台板１１３と一体に構成されているため、仕掛け収納具の製造コストを少なくすることができる。
【００４８】
以上、本考案の実施の形態について具体的に説明したが、本考案はこれらの実施の形態に限定されるものではなく、本考案の技術的思想に基づく変更が可能であるのは勿論である。
【産業上の利用可能性】
【００４９】
本考案によれば、台板の第１の領域の表面に針係止部を設け、台板の第２の領域に糸係止部を設けた上で、糸係止部を台板の第２の領域に所定の間隔を開けて環状に並ぶように形成されて表面側及び裏面側に切り起こし可能な複数の切り起こし部から構成するため、仕掛け収納具を複雑な構造にすることなく、ハリスや枝スに巻癖やヨレが付くのを防ぐことができる。また、台板の表面側から見た場合に枝スの残部が台板の裏面側に隠れるため、釣り仕掛けの外観が損なわれるのを防ぐことができる。
【符号の説明】
【００５０】
１  釣り仕掛け
３  先針
５  ハリス
７  枝針
９  枝ス
１１  仕掛け収納具
１３  台板
１３ａ  表面
１３ｂ  裏面
Ｆ１  第１の領域
Ｆ２  第２の領域
１５  針係止部
１７  糸係止部
１９  切り起こし部
【図１】
0003178576.tif 000003
【図２】
0003178576.tif 000004
【図３】
0003178576.tif 000005
【図４Ａ】
0003178576.tif 000006
【図４Ｂ】
0003178576.tif 000007
【図４Ｃ】
0003178576.tif 000008
【図４Ｄ】
0003178576.tif 000009
【図４Ｅ】
0003178576.tif 000010
【図４Ｆ】
0003178576.tif 000011
【図４Ｇ】
0003178576.tif 000012
【図４Ｈ】
0003178576.tif 000013
【図４Ｉ】
0003178576.tif 000014
【図４Ｊ】
0003178576.tif 000015
【図４Ｋ】
0003178576.tif 000016
【図４Ｌ】
0003178576.tif 000017
【図４Ｍ】
0003178576.tif 000018
【図４Ｎ】
0003178576.tif 000019
【図４Ｏ】
0003178576.tif 000020
【図５Ａ】
0003178576.tif 000021
【図５Ｂ】
0003178576.tif 000022
【図５Ｃ】
0003178576.tif 000023
【図５Ｄ】
0003178576.tif 000024
【図５Ｅ】
0003178576.tif 000025
【図５Ｆ】
0003178576.tif 000026
【図５Ｇ】
0003178576.tif 000027
【図５Ｈ】
0003178576.tif 000028
【図５Ｉ】
0003178576.tif 000029
【図６】
0003178576.tif 000030